(57)【特許請求の範囲】
【請求項１】
半径が異なる複数の同心円上にそれぞれ複数の電極を有する固定子と、前記固定子上に相互に回転可能に積層配置され、前記複数の同心円上の各電極のそれぞれ対応する部分にリング状の抵抗体層を有する複数の回転子とを具備することを特徴とする静電モータ。
【請求項２】
請求項１に記載の発明において、前記複数の同心円上の各電極は、前記固定子の中心を中心にして放射状に設けられていることを特徴とする静電モータ。
【請求項３】
請求項１に記載の発明において、前記固定子は、その電極配置領域の内側または外側に前記複数の同心円上の各電極の一部に接続されたリング状の給電用配線を有することを特徴とする静電モータ。
【請求項４】
請求項１に記載の発明において、前記複数の回転子の半径は互いに異なり、その各外周部に前記抵抗体層が設けられていることを特徴とする静電モータ。
【請求項５】
請求項４に記載の発明において、前記回転子は、前記抵抗体層が設けられたリング状部と、前記リング状部内に掛け渡された橋部と、前記橋部の中央部に形成された軸取付孔とを有するベースフィルムを備えていることを特徴とする静電モータ。
【請求項６】
請求項４に記載の発明において、前記複数の回転子はその半径の小さいものから順に前記固定子上に相互に回転可能に積層配置されていることを特徴とする静電モータ。
【請求項７】
請求項６に記載の発明において、前記複数の回転子のうち、上側の回転子の抵抗体層の内径はその下側の回転子の抵抗体層の外径よりも大きくなっていることを特徴とする静電モータ。
【請求項８】
請求項６に記載の発明において、前記固定子の電極配置面は前記複数の回転子の半径にそれぞれ対応して内側から外側に向かって漸次高くなっていることを特徴とする静電モータ。
【請求項９】
請求項８に記載の発明において、前記固定子は積層された複数の基板を有し、そのうちの上側の基板にはその下側の基板上の電極配置領域の外径よりも大きい円孔が形成されていることを特徴とする静電モータ。
【請求項１０】
請求項４に記載の発明において、前記複数の回転子はそれぞれ一体的に回転する軸を有し、そのうちの下側の回転子の軸はその上側の回転子の軸を回転可能に貫通していることを特徴とする静電モータ。
【請求項１１】
半径が異なる複数の同心円上にそれぞれ複数の電極を有する固定子と、前記固定子上に相互に回転可能に積層配置され、前記複数の同心円上の各電極のそれぞれ対応する部分にリング状の抵抗体層を有する複数の回転子とを具備する静電モータを用いたことを特徴とする時計用モジュール。
【請求項１２】
請求項１１に記載の発明において、前記複数の回転子は指針式時計モジュールの運針を行うものであり、前記複数の回転子の各軸には、時針、分針、秒針のうちいずれか１つが取り付けられていることを特徴とする時計用モジュール。
【発明の詳細な説明】
【技術分野】
【０００１】
この発明は静電モータおよびそれを用いた時計モジュールに関する。
【背景技術】
【０００２】
従来の静電モータには、指針式時計に適用したものがある（例えば、特許文献１参照）。この静電モータでは、長さが異なる時針、分針および秒針の各先端部に設けられた電極と、文字板の上面において各針の先端部に対応する３つの同心円上に設けられた複数ずつの電極との間に発生するクーロン引力およびクーロン反発力により、各針を時計方向に回転させるようにしている。
【０００３】
【特許文献１】特開２００５−１２７９６４号公報
【発明の開示】
【発明が解決しようとする課題】
【０００４】
しかしながら、上記従来の静電モータでは、文字板（固定子）上に３つの指針（回転子）を設け、各針の先端部に電極を設けているので、指針や電極の長さは制約を受け、回転子側への給電構造等が複雑になり、設計の自由度が少ないという問題があった。
また、電磁モータを利用して指針を運針させることで時刻表示を行う指針式電子時計は、電磁モータの回転を歯車によって分周して、秒針、分針、時針のそれぞれについて運針を行なう。その場合、回転を分周するために多数の歯車を搭載する必要があり、構造が複雑となり、小型化するためには歯車の高精度の微細加工を要する。
【０００５】
そこで、この発明は、設計の自由度が大きく、構造の簡略な静電モータおよびそれを用いた時計モジュールを提供することを目的とする。
【課題を解決するための手段】
【０００６】
上記目的を達成するため、この発明の静電モータは、半径が異なる複数の同心円上にそれぞれ複数の電極を有する固定子と、前記固定子上に相互に回転可能に積層配置され、前記複数の同心円上の各電極のそれぞれ対応する部分にリング状の抵抗体層を有する複数の回転子とを具備することを特徴とするものである。
また、この発明の時計用モジュールは、半径が異なる複数の同心円上にそれぞれ複数の電極を有する固定子と、前記固定子上に相互に回転可能に積層配置され、前記複数の同心円上の各電極のそれぞれ対応する部分にリング状の抵抗体層を有する複数の回転子とを具備する静電モータを用いたことを特徴とする。
【発明の効果】
【０００７】
この発明によれば、固定子の同一円周上に配置された複数の電極とそれに対応する回転子のリング状の抵抗体層との間に発生するクーロン引力およびクーロン反発力により、当該回転子を回転させることになるので、設計の自由度が大きく、構造の簡略な静電モータおよびそれを用いた時計モジュールを提供することができる。
【発明を実施するための最良の形態】
【０００８】
（第１実施形態）
図１はこの発明の第１実施形態としての静電モータを備えた指針式時計の一例の要部の断面図を示す。この指針式時計は静電モータ１を備えている。静電モータ１は、ケース２およびケースカバー３を備えている。ケース２内には、下から順に、固定子４、秒針用回転子５、分針用回転子６および時針用回転子７が設けられている。固定子４および各回転子５〜７の詳細については後で説明する。
【０００９】
各回転子５〜７の中心部には棒状の秒針軸８、円筒状の分針軸９および円筒状の時針軸１０の各下端部が取り付けられている。時針軸１０は、ケースカバー３およびその上に設けられた文字板１１の中央部に設けられたケースカバー穴３ａおよび文字板穴１１ａを回転可能に貫通して文字板１１の上側に突出されていて、時針軸１０の突出部には時針１２の基端部が取り付けられている。
【００１０】
分針軸９は、時針軸１０内を回転可能に貫通して時針軸１０の上側に突出されていて、分針軸９の突出部には分針１３の基端部が取り付けられている。秒針軸８は、分針軸９内を回転可能に貫通して分針軸９の上側に突出されていて、秒針軸８の突出部には秒針１４の基端部が取り付けられている。
【００１１】
次に、固定子４について説明する。図２は固定子４の平面図を示す。固定子４は、例えば、ポリイミド等の有機材料からなる上基板２１、中基板２２および下基板２３を備えている。上基板２１は円形状であり、中基板２２は上基板２１と同一の円形状である。下基板２３は、上基板２１と同一の円形状部の所定の箇所に突出部２３ａが設けられた形状である。そして、これらの基板２１〜２３は、図示しない接着剤を介して互いに接着されて積層されている。
【００１２】
上基板２１の上面において半径が異なる３つの同心円上には、内から順に、アルミニウム系金属等からなる複数ずつの秒針用電極２４、分針用電極２５および時針用電極２６がそれぞれ等間隔に設けられている。ここでは、各電極２４〜２６の数は同じである場合について説明する。各電極２４〜２６の形状は、内側から外側に向かうに従って漸次幅広となるくさび形状で、各電極２４〜２６の径方向の長さは同じとしていて、各電極２４〜２６の幅は外側の方が大きくなっている。ここで、図２では、各電極２４〜２６およびその間の隙間の角度を見やすいように５°として図示しているが、時計用の電極なので、３°刻みが望ましい。その場合、１電極分のピッチが秒針なら１秒、分針なら１分、および時針なら１２分にそれぞれ対応することになる。もちろん、それ以下の角度にして、より滑らかな動きを実現するようにしてもよい。
【００１３】
次に、図３は上基板２１の一部の拡大平面図を示す。上基板２１の上面において、各電極２４〜２６の配置領域の外側にはリング状の給電用配線２７〜２９が設けられ、各電極２４〜２６の配置領域の内側にはリング状の給電用配線３０〜３２が設けられている。上基板２１において、給電用配線２７〜２９の各所定の１箇所には上下導通部２７ａ〜２９ａが設けられ、給電用配線３０〜３２の各所定の１箇所には上下導通部３０ａ〜３２ａが設けられている。
【００１４】
各電極２４〜２６は３相配線されている。すなわち、秒針用電極２４は、３つおきに、給電用配線２７、３０および所定の秒針用電極２４の外側近傍の上基板２１に設けられた上下導通部３３に接続されている。分針用電極２５は、３つおきに、給電用配線２８、３１および所定の分針用電極２５の外側近傍の上基板２１に設けられた上下導通部３４に接続されている。時針用電極２６は、３つおきに、給電用配線２９、３２および所定の時針用電極２６の外側近傍の上基板２１に設けられた上下導通部３５に接続されている。
【００１５】
次に、図４は中基板２２の一部の拡大平面図を示す。中基板２２の上面において半径が異なる３つの同心円上にはリング状の給電用配線３３ａ〜３５ａが設けられている。中基板２２において、給電用配線３３ａ〜３５ａの各所定の１箇所には、上下導通部３３ｂ〜３５ｂが設けられている。各給電用配線３３ａ〜３５ａの所定の複数箇所には接続パッド３３ｃ〜３５ｃがそれぞれ等間隔に設けられている。接続パッド３３ｃ〜３５ｃは、図３に示す上下導通部３３〜３５に接続されている。中基板２２において、図３に示す上下導通部２７ａ〜３２ａに対応する部分には、上下導通部２７ｂ〜３２ｂが設けられている。上下導通部２７ｂ〜３２ｂは、図３に示す上下導通部２７ａ〜３２ａに接続されている。
【００１６】
次に、図５は下基板２３の一部の拡大平面図を示す。下基板２３の上面において、図４に示す上下導通部２７ｂ〜３５ｂに対応する部分には、接続パッド２７ｃ〜３２ｃ、３３ｄ〜３５ｄが設けられていて、接続パッド２７ｃ〜３２ｃ、３３ｄ〜３５ｄは、図４に示す上下導通部２７ｂ〜３５ｂに接続されている。下基板２３の突出部２３ａの上面には９つの外部接続端子３６が等間隔に設けられていて、各外部接続端子３６は、下基板２３の上面に設けられた９本の引き回し線３７を介して接続パッド２７ｃ〜３２ｃ、３３ｄ〜３５ｄに接続されている。
【００１７】
以上の電気的接続関係を簡単に説明すると、図５に示す左側の３つの外部接続端子３６には、図３に示す秒針用電極２４が３つおきに、図５に示す中央の３つの外部接続端子３６には、図３に示す分針用電極２５が３つおきに、図５に示す右側の３つの外部接続端子３６には、図３に示す時針用電極２６が３つおきにそれぞれ接続されている。これにより、各電極２４〜２６は３相配線されている。なお、図５に示す給電用配線（突出部２３ａを含む）を中基板２２の下面に設け、固定子４をガラスエポキシ等の２層の基板によって構成するようにしてもよい。
【００１８】
次に、図６〜図８は秒針用回転子５、分針用回転子６および時針用回転子７の各平面図を示す。各回転子５〜７は、ポリエチレンナフタレート、ポリエチレンテレフタレート、ポリイミド等からなる円形状のベースフィルム５ａ、６ａ、７ａを備えている。各ベースフィルム５ａ、６ａ、７ａの半径は互いに異なり、この順で大きくなっていて、各ベースフィルム５ａ、６ａ、７ａの上面外周部にはカーボン等からなるリング状の抵抗体層５ｂ、６ｂ、７ｂが設けられている。抵抗体層５ｂ、６ｂ、７ｂは、例えば、カーボン粉末（導電性フィラー）を含むウレタン樹脂（バインダー）を必要な部分のみに塗布する方法で成膜することができる。各ベースフィルム５ａ、６ａ、７ａの中心部には秒針軸取付孔５ｃ、分針軸取付孔６ｃおよび時針軸取付孔７ｃが設けられている。駆動時の負荷から考えると回転子は軽い方が望ましいく、薄く（例えば１６μｍ〜２５μｍ厚程度に）形成する。しかしながら、薄くすると強度が低下して変形し易くなり、平坦性が損なわれて回転時に抵抗となってしまう場合がある。この場合、特に、ポリエチレンナフタレートは薄く作成した場合でも強度的に腰があり、平坦性にも優れている。また、試作実験でも良好な結果が得られており、ベースフィルムとして特に適した材料である。
【００１９】
図１を参照して説明すると、秒針用回転子５の抵抗体層５ｂの外径および内径は、固定子４の秒針用電極２４配置領域の外径および内径と同じとなっている。分針用回転子６の抵抗体層６ｂの外径および内径は、固定子４の分針用電極２５配置領域の外径および内径と同じとなっている。時針用回転子７の抵抗体層７ｂの外径および内径は、固定子４の時針用電極２６配置領域の外径および内径と同じとなっている。
【００２０】
そして、回転子５、６、７は、その半径の小さいものから順に、固定子４上に相互に回転可能に積層配置されている。したがって、秒針用回転子５の抵抗体層５ｂは、固定子４の秒針用電極２４配置領域上に配置され、分針用回転子６の抵抗体層６ｂは、固定子４の分針用電極２５配置領域上に配置され、時針用回転子７の抵抗体層７ｂは、固定子４の時針用電極２６配置領域上に配置されている。
【００２１】
図９は、この発明の第１の実施形態としての指針式電子時計に備えられた電子回路の構成例を示す図である。
図９に示すように、指針式電子時計の電子回路は、発振回路５１、分周回路５２、制御回路５３、秒針駆動回路５４、分針駆動回路５５および秒針駆動回路５６を備える。発振回路５１は分周回路５２と接続される。そして、制御回路５３は分周回路５４、秒針駆動回路５４、分針駆動回路５５および時針駆動回路５６と接続される。また、分周回路５２は、秒針駆動回路５４、分針駆動回路５５および時針駆動回路５６と接続される。
【００２２】
秒針駆動回路５４は、固定子４の秒針用電極２４（図３参照）と接続され、分針駆動回路５５は、固定子４の分針用電極２５（図３参照）と接続され、時針駆動回路５６は、固定子４の時針用電極２６（図３参照）と接続される。
【００２３】
発振回路５１は、水晶振動子（図示せず）などを原振として、時間基準信号を分周回路５２に出力する。そして、分周回路５２は、発振回路５１からの信号を入力して分周する。秒針駆動回路５４は、分周回路５２が出力した信号に従って、後述の駆動方法による電圧を時針用電極２４に印加し、分針駆動回路５５は、分周回路５２が出力した信号に従って、同様に、分針用電極２５に電圧を印加し、秒針駆動回路５６は、分周回路５２が出力した信号に従って、同様に、時針用電極２６間に電圧を印加する。
【００２４】
また、制御回路５３は、図示しない操作釦と接続される。この操作釦は、例えば、時刻調整ために各指針を運針させるための操作を行なうものである。
【００２５】
次に、この指針式時計の代表として秒針用回転子５（秒針１４）の駆動方法の一例について説明する。ここで、固定子４上の３相配線された秒針用電極２４への印加電圧が例えば正電圧、負電圧、０Ｖである場合には、以下の説明において、固定子４の秒針用電極２４に電圧（＋、−、０）を印加するという。また、その電圧印加状態は、図１０（Ａ）の下図ように示すこととする。ここで、図１０（Ａ）の下図に示す固定子４においては、実線で区切られた各枡目は各秒針用電極２４に対応するものである（以下同じ）。なお、図１０では固定子側６極分、回転子側３極分のみを示す。
【００２６】
さて、充電工程において、図１０（Ａ）の下図に示すように、固定子４の秒針用電極２４（左側から３つずつの電極、以下同じ）に電圧（＋、−、０）を印加すると、秒針用回転子５の抵抗体層５ｂの秒針用電極２４と対向する領域に当該秒針用電極２４の電荷と逆極性の電荷が充電（誘導）される（初期充電）。ここで、図１０（Ａ）の上図に示す秒針用回転子５の抵抗体層５ｂにおいては、点線で区切られた各枡目は各秒針用電極２４に対応する領域である（以下同じ）。
【００２７】
次に、移動工程において、図１０（Ｂ）の下図に示すように、固定子４の秒針用電極２４に印加する電圧を（−、＋、−）に切り替えると、電極の電荷は瞬時に入れ替わるが、回転子側の電荷配置が新たな平衡状態に変化するには、ある程度の時間を要するので、切り替え直後は回転子側の電荷は保持されており、図１０（Ｂ）の上図のような電荷配置となっている。このとき、秒針用回転子５の抵抗体層５ｂの電荷領域の電荷とその真下の固定子４の秒針用電極２４の電荷とが同符号となる領域が現れ、その間にクーロン反発力が発生し、このクーロン反発力により、矢印で示すように、秒針用回転子５を浮き上がらせようとする力が働き、秒針用回転子５と固定子４との間の摩擦抵抗が軽減される。
【００２８】
そして、図１０（Ｂ）においては、固定子４と秒針用回転子５との横方向のクーロン引力およびクーロン反発力の釣り合いが崩れることにより、右方向の回転駆動力が発生し、図１０（Ｃ）に示すように、秒針用回転子５が固定子４上を右方向に１ピッチ（秒針用電極２４の１電極分）移動し、停止する。
【００２９】
次に、移動中に回転子の電荷は一部失われるので、クーロン力（回転駆動力）が減少する。そこで、この力を維持して連続して駆動するために、図１０（Ｃ）の状態で次の充電工程において、図１０（Ｄ）の下図に示すように、固定子４の秒針用電極２４に図１０（Ａ）の下図から右方向に１ピッチ（１電極分）ずらした電圧（０、＋、−）を印加する。すると、図１０（Ｄ）の上図に示すように、秒針用回転子５の抵抗体層５ｂの秒針用電極２４と対向する領域に当該秒針用電極２４の電荷と逆極性の電荷が再充電される。（上記失われる電荷は全体の一部なので、再充電の時間は初期充電の時間よりも短くてよい。）以下、上記と同様の工程が繰り返され、秒針用回転子５が秒針１４と共に時計方向に１ピッチずつ回転される。
【００３０】
以上のように、この指針式時計では、固定子４の同一円周上に配置された複数の秒針用電極２４とそれに対応する秒針用回転子５のリング状の抵抗体層５ｂとの間に発生するクーロン引力およびクーロン反発力により、秒針用回転子５を回転させているので、秒針用回転子５を回転させるためには給電する必要がなく、またこれと同様に、分針用回転子６および時針用回転子７を回転させるためにも給電する必要がない。さらに、針の長さ等の制約も受けず、設計の自由度が大きく、構造を簡略化することができる。
【００３１】
また、この指針式時計の静電モータ１では、１つの固定子４上に３つの回転子５、６、７をその半径の小さいものから順に相互に回転可能に積層配置しているので、歯車を搭載する必要もなく、モータを可及的に薄型化することができる。
【００３２】
（第２実施形態）
図１１はこの発明の第２実施形態としての静電モータを備えた指針式時計の一例の要部の断面図を示す。この指針式時計において、図１に示す指針式時計と異なる点は、固定子４の上基板２１の上面において、秒針用電極２４配置領域と分針用電極２５配置領域との間にリング状の分針用回転子支え壁４１を設け、分針用電極２５配置領域と時針用電極２６配置領域との間にリング状の時針用回転子支え壁４２を設けた点である。（すなわち、上記第１実施形態においては、回転子を回転し易くするために薄くして軽くするようにした場合、各回転子が自重により変形して互いに接触し、回転時の摩擦抵抗が大きくなってしまうとともに、各回転子の回転動作が相互に影響してしまう場合があるという問題点があった。本実施形態は回転子支え壁を設けることによって、この問題点を改善したものである。）
【００３３】
ここで、分針用回転子支え壁４１の高さは、それに支えられた分針用回転子６のベースフィルム６ａの下面が秒針用回転子５の抵抗体層５ｂの上面よりもやや上側に位置する高さとなっていて、時針用回転子支え壁４２の高さは、それに支えられた時針用回転子７のベースフィルム７ａの下面が分針用回転子６の抵抗体層６ｂの上面よりもやや上側に位置する高さとなっている。
【００３４】
このようにすると、分針用回転子６がその下側の秒針用回転子５と確実に接触しないようにすることができ、また時針用回転子７がその下側の分針用回転子６と確実に接触しないようにすることができる。すなわち、各回転子５、６、７が確実に互いに接触しないようにすることができ、各回転子５、６、７の駆動時の摩擦抵抗を軽減することができるので、各回転子５、６、７を独立に回転させ易くすることができる。
【００３５】
（第３実施形態）
図１２はこの発明の第３実施形態としての静電モータを備えた指針式時計の一例の要部の断面図を示す。この指針式時計において、図１に示す指針式時計と異なる点は、固定子４において、上基板２１の中央部に分針用回転子６よりもやや大きめの円孔２１ａを形成し、中基板２２の中央部に秒針用回転子５よりもやや大きめの円孔２２ａを形成し、中基板２２の円孔２２ａ内における下基板２３の上面に秒針用電極２４を設け、上基板２１の円孔２１ａ内における中基板２２の上面に分針用電極２５を設け、上基板２１の上面に時針用電極２６を設けた点である。
【００３６】
この場合も、分針用回転子６がその下側の秒針用回転子５と確実に接触しないようにすることができ、また時針用回転子７がその下側の分針用回転子６と確実に接触しないようにすることができる。すなわち、各回転子５、６、７が確実に互いに接触しないようにすることができ、各回転子５、６、７の駆動時の摩擦抵抗を軽減することができるので、各回転子５、６、７を独立に回転させ易くすることができる。
また、分針用回転子６は固定子４上の分針用電極２５に近づき、時針用回転子７は固定子４上の時針用電極２６に近づくので、分針用回転子６および時針用回転子７の回転駆動力が大きくなるという利点もある。
【００３７】
（その他の実施形態）
図１３〜図１５は秒針用回転子５、分針用回転子６および時針用回転子７の他の例の各平面図を示す。これらの回転子５、６、７において、図６〜図８に示す各回転子５、６、７と異なる点は、抵抗体層５ｂ、６ｂ、７ｂ内におけるベースフィルム５ａ、６ａ、７ａにほぼ半円形状の２つの開口部５ｄ、６ｄ、７ｄを形成した点である。
【００３８】
すなわち、ベースフィルム５ａ、６ａ、７ａは、抵抗体層５ｂ、６ｂ、７ｂ下のリング状部と、これらのリング状部内に掛け渡されたほぼ直線状の橋部と、これらの橋部の中央部に形成された軸取付孔５ｃ、６ｃ、７ｃとを備えた構造となっている。
【００３９】
このようにした場合には、回転子５、６、７の重さが開口部５ｄ、６ｄ、７ｄの分だけ軽減され、各回転子５、６、７を回転させるための回転駆動力は同じでも、重量が減ることにより回転し易くなる。なお、橋部は、ほぼ直線状に限定されるものではなく、例えばほぼ十字形状であってもよく、またほぼＹ字形状であってもよい。
【００４０】
図１６〜図１８は秒針用回転子５、分針用回転子６および時針用回転子７のさらに他の例の各平面図を示す。これらの回転子５、６、７において、図１３〜図１５に示す各回転子５、６、７と異なる点は、ベースフィルム５ａ、６ａ、７ａの橋部の上面に第二の抵抗体層５ｅ、６ｅ、７ｅを設けた点である。この第二の抵抗体層５ｅ、６ｅ、７ｅは固定子４の電極２４、２５、２６の配置領域には対向していないので、クーロン力が直接には働かないため、ダミーの抵抗体層となる。
【００４１】
ところで、これらの回転子５、６、７では、ベースフィルム５ａ、６ａ、７ａの上面全体に抵抗体層５ｂ、５ｅ、６ｂ、６ｅ、７ｂ、７ｅが設けられているため、その製造工程を簡略化することができる。すなわち、例えば、方形状のベースフィルム形成用シートを用意し、その上面全体に抵抗体層を形成し、１回のパンチングにより、図１６〜図１８に示す各回転子５、６、７を得ることができる。
【００４２】
また、上記各実施形態において、回転子は、秒針を設けずに、時針用回転子および分針用回転子の２つとしてもよい。また、適用分野によっては、回転子の数は４つ以上としてもよい。さらに、適用分野によっては、例えば上記第１実施形態において、回転子５の中央部に一体的に回転するように取り付けられた軸８の下端部を基板２１〜２３およびケース２を回転可能に貫通させて、軸８をケース２の下側にも突出させるようにしてもよく、また軸８の下端部のみを基板２１〜２３およびケース２を回転可能に貫通させて、軸８をケース２の下側にのみ突出させるようにしてもよい。
また、上記第１および第２実施形態において、積層される一番下の回転子は一番小さいとした例で説明したが、固定子と回転子の間に挟まる別の回転子のベースフィルム部の影響が小さい場合はこの構成を取る必要はない。
【図面の簡単な説明】
【００４３】
【図１】この発明の第１実施形態としての静電モータを備えた指針式時計の一例の要部の断面図。
【図２】図１に示す固定子の平面図。
【図３】図２に示す上基板の一部の拡大平面図。
【図４】図２に示す中基板の一部の拡大平面図。
【図５】図２に示す下基板の一部の拡大平面図。
【図６】図１に示す秒針用回転子の平面図。
【図７】図１に示す分針用回転子の平面図。
【図８】図１に示す時針用回転子の平面図。
【図９】この発明の第１の実施形態としての指針式電子時計に備えられた電子回路の構成例を示す図。
【図１０】秒針用回転子（秒針）の駆動方法の一例を説明するために示す図。
【図１１】この発明の第２実施形態としての静電モータを備えた指針式時計の一例の要部の断面図。
【図１２】この発明の第３実施形態としての静電モータを備えた指針式時計の一例の要部の断面図。
【図１３】秒針用回転子の他の例の平面図。
【図１４】分針用回転子の他の例の平面図。
【図１５】時針用回転子の他の例の平面図。
【図１６】秒針用回転子のさらに他の例の平面図。
【図１７】分針用回転子のさらに他の例の平面図。
【図１８】時針用回転子のさらに他の例の平面図。
【符号の説明】
【００４４】
１  回転モータ
２  ケース
３  ケースカバー
３ａ  ケースカバー穴
４  固定子
５  秒針用回転子
５ａ  ベースフィルム
５ｂ  抵抗体層
５ｃ  軸取付孔
５ｄ  開口部
５ｅ  第二の抵抗体層
６  分針用回転子
６ａ  ベースフィルム
６ｂ  抵抗体層
６ｃ  軸取付孔
６ｄ  開口部
６ｅ  第二の抵抗体層
７  時針用回転子
７ａ  ベースフィルム
７ｂ  抵抗体層
７ｃ  軸取付孔
７ｄ  開口部
７ｅ  第二の抵抗体層
８  秒針軸
９  分針軸
１０  時針軸
１１  文字板
１１ａ  文字板穴
１２  時針
１３  分針
１４  秒針
２１  上基板
２１ａ  円孔
２２  中基板
２２ａ  円孔
２３  下基板
２４  秒針用電極
２５  分針用電極
２６  時針用電極
２７〜３２  給電用配線
２７ａ〜３２ａ  上下導通部
２７ｂ〜３２ｂ  上下導通部
２７ｃ〜３２ｃ  接続パッド
３３〜３５  上下導通部
３３ａ〜３５ａ  給電用配線
３３ｂ〜３５ｂ  上下導通部
３３ｃ〜３５ｃ  接続パッド
３３ｄ〜３５ｄ  接続パッド
４１  分針用回転子支え壁
４２  時針用回転子支え壁
５１  発振回路
５２  分収回路
５３  制御回路
５４  秒針駆動回路
５５  分針駆動回路
５６  時針駆動回路
【図１】
0004779532.tif 000002
【図２】
0004779532.tif 000003
【図３】
0004779532.tif 000004
【図４】
0004779532.tif 000005
【図５】
0004779532.tif 000006
【図６】
0004779532.tif 000007
【図７】
0004779532.tif 000008
【図８】
0004779532.tif 000009
【図９】
0004779532.tif 000010
【図１０】
0004779532.tif 000011
【図１１】
0004779532.tif 000012
【図１２】
0004779532.tif 000013
【図１３】
0004779532.tif 000014
【図１４】
0004779532.tif 000015
【図１５】
0004779532.tif 000016
【図１６】
0004779532.tif 000017
【図１７】
0004779532.tif 000018
【図１８】
0004779532.tif 000019